(57)【要約】  【課題】屎尿等の汚物を簡単に処理でき、衛生的でメンテナンスが容易に行なえるとともに、外出やドライブ等にも簡単に携行できる汚物吸引装置を提供できるようにする。【解決手段】蓋部分に負圧供給管と吸引物を吸引する吸引管とが接続され、本体部分と蓋部分との間に開口部が装着された袋拡開用負圧供給口を本体部分に設け、当該袋拡開用負圧供給口を負圧形成部に袋拡開用負圧供給管で連結するとともに、負圧供給管及び袋拡開用負圧供給管の少なくとも一方に収納袋の拡開手段を設けるように構成した。【選択図】図１
2008278928.tif 000002
【特許請求の範囲】
【請求項１】
負圧形成部と、負圧形成部で発生させた負圧が負圧供給管を介して導入される密閉可能なリザーブタンクと、リザーブタンクに装着されるもので柔軟性を有し気密性を有する材料からなる収納袋とを備え、リザーブタンクは本体部分と蓋部分とからなり、蓋部分には負圧供給管と吸引物を吸引する吸引管とが接続され、本体部分と蓋部分との間に開口部が装着された袋拡開用負圧供給口を本体部分に設け、当該袋拡開用負圧供給口を負圧形成部に袋拡開用負圧供給管で連結するとともに、負圧供給管及び袋拡開用負圧供給管の少なくとも一方に収納袋の拡開手段を設けたことを特徴とするリザーブタンクに装着された収納袋への汚物吸引装置。
【請求項２】
収納袋の拡開手段が、１つの負圧形成部に接続された負圧供給管及び袋拡開用負圧供給管のそれぞれに負圧の供給を断続する制御弁を設け、袋拡開用負圧供給管の制御弁を開いて収納袋をリザーブタンク内に広げた後、負圧供給管の制御弁を開いて吸引物を収納袋内に吸引可能に構成したことを特徴とする請求項１に記載のリザーブタンクに装着された収納袋への汚物吸引装置。
【請求項３】
負圧形成部が、電動モータと、電動モータを駆動する電源と、電動モータで駆動される吸引ポンプとを同一のケースに収納したことを特徴とする負圧形成装置である請求項１又は請求項２に記載のリザーブタンクに装着された収納袋への汚物吸引装置。
【請求項４】
収納袋の拡開手段が、１つの負圧形成部２に対して負圧供給管及び袋拡開用負圧供給管のいずれか一方を選択的に連通させとともに他方をブロックする方向切換え弁を介して接続したことを特徴とする請求項１に記載のリザーブタンクに装着された収納袋への汚物吸引装置。
【発明の詳細な説明】
【技術分野】
【０００１】
本発明は、リザーブタンクに装着された収納袋への汚物、例えば屎尿等を吸引して収納するための吸引装置に関するものである。
【背景技術】
【０００２】
近年、高齢化が進み、認知症の老人がふえる一方、少子化で十分な介護が難しくなっている。
こうした認知症の老人や介護時の屎尿の処理にはオムツを装着するのが一般的であった。
また、高齢化にともなって、前立腺肥大による頻尿も多くなりこうした不意の尿意に対しても、オムツを装着するのが一般的である。
かかるオシメは主として尿を吸収させるためのもので、分厚い水分吸収体のためにズボン等が不恰好なものとなり、これがために、ゴルフあるいはジョギング等のスポーツや、外出が躊躇される。
一方、健常者でも長時間のドライブ等では不意の尿意におそわれることもある。
【０００３】
そこで、無意識の放尿や不意の尿意に対して、尿を吸引するものとして例えば、吸尿並びに排出を兼ねるロータリーポンプとこれを駆動する制御部とを有する真空吸引装置と、排尿受器と、これらを連通接続し尿検知センサ電極を兼ねる電導体を外周面に形成した輸尿チューブとを備え、これらを、隔離された２つのポンプ室と、該ポンプ室と隔離された制御部収納室とを有する筐体に収納し、筐体に併設される収尿タンクは、前記輸尿チューブに連通する内部チューブを備え、開口部が、前記一方のポンプ室とフィルタを介して連通するとともに、ロータを経て他方のポンプ室とフィルタを介して外気に連通させ、二重のフィルタで排気を浄化するようにした自動採尿装置が提案されている。
【０００４】
上記先の提案にかかる自動採尿装置では、尿の吸引並びに排出時に尿がロータリーポンプを直接通過するので、ポンプのロータ等の周面に付着したり、ポンプ内に残った尿が腐敗して雑菌が繁殖しやすく、衛生上に問題があるだけでなく悪臭の原因にもなるという問題があった。
更に、上記の提案されたもののように、隔離された２つのポンプ室と、ポンプ室と隔離された制御部収納室とを有する筐体に収尿タンクを配設したものでは、この収尿タンクからの尿の排出や洗浄に多大の手間と時間を要してしまうという問題もある。
【特許文献１】特開２００５−３３４５５８号公報
【発明の開示】
【発明が解決しようとする課題】
【０００５】
本発明は上記問題点に鑑みて提案されたもので、屎尿等の汚物を簡単に処理でき、衛生的でメンテナンスが容易に行なえるとともに、外出やドライブ等にも簡単に携行できる汚物吸引装置を提供できるようにすることを目的とするものである。
【課題を解決するための手段】
【０００６】
上記目的を達成するために本発明にかかるリザーブタンクに装着された収納袋への汚物吸引装置は、負圧形成部と、負圧形成部で発生させた負圧が負圧供給管を介して導入される密閉可能なリザーブタンクと、リザーブタンクに装着されるもので柔軟性を有し気密性を有する材料からなる収納袋とを備え、リザーブタンクは本体部分と蓋部分とからなり、蓋部分には負圧供給管と吸引物を吸引する吸引管とが接続され、本体部分と蓋部分との間に開口部が装着された袋拡開用負圧供給口を本体部分に設け、当該袋拡開用負圧供給口を負圧形成部に袋拡開用負圧供給管で連結するとともに、負圧供給管及び袋拡開用負圧供給管の少なくとも一方に収納袋の拡開手段を設けたことを最も主要な特徴とするものである。
【０００７】
また、本発明にかかるリザーブタンクに装着された収納袋への汚物吸引装置は、収納袋の拡開手段が、１つの負圧形成部に接続された負圧供給管及び袋拡開用負圧供給管のそれぞれに負圧の供給を断続する制御弁を設け、袋拡開用負圧供給管の制御弁を開いて収納袋をリザーブタンク内に広げた後、負圧供給管の制御弁を開いて吸引物を収納袋内に吸引可能に構成したことも特徴とするものである。
【０００８】
さらに、本発明にかかるリザーブタンクに装着された収納袋への汚物吸引装置は、負圧形成部が、電動モータと、電動モータを駆動する電源と、電動モータで駆動される吸引ポンプとを同一のケースに収納したことや収納袋の拡開手段が、１つの負圧形成部２に対して負圧供給管及び袋拡開用負圧供給管のいずれか一方を選択的に連通させとともに他方をブロックする方向切換え弁を介して接続したことも特徴とするものである。
【発明の効果】
【０００９】
本発明にかかるリザーブタンクに装着された収納袋への汚物吸引装置によれば、本体部分と蓋部分とからなるリザーブタンクの蓋部分に負圧供給管と吸引物を吸引する吸引管とを接続し、本体部分と蓋部分との間に開口部が装着された袋拡開用負圧供給口を本体部分に設け、当該袋拡開用負圧供給口を負圧形成部に袋拡開用負圧供給管で連結するとともに、負圧供給管及び袋拡開用負圧供給管の少なくとも一方に収納袋の拡開手段を設けて構成することにより、この拡開手段により収納袋をリザーブタンク内に余すところなく簡単に広げることができ、収納袋の有効利用率を大幅に向上することができる。
【００１０】
また、汚物は収納袋に収納され負供給部を通過しないので、負圧形成部に屎尿等の汚物が付着乃至残留することもなくせて、付着乃至残留した汚物が腐敗して雑菌が繁殖したり、悪臭の原因になったりすることがなく、衛生的な汚物吸引装置を提供することができ、ドライブやスポーツにも容易に携行することができるという利点がある。
特に、負圧形成部を、電動モータと、電動モータを駆動する電源と、電動モータで駆動される吸引ポンプとを同一のケースに収納したものではその携行性が一層向上する。
【００１１】
さらに、収納袋の拡開手段を、１つの負圧形成部に接続された負圧供給管及び袋拡開用負圧供給管のそれぞれに負圧の供給を断続する制御弁を設け、袋拡開用負圧供給管の制御弁を開いて収納袋をリザーブタンク内に広げた後、負圧供給管の制御弁を開いて吸引物を収納袋内に吸引可能に構成したものでは上記効果に加えて、制御弁を操作するだけで簡単に使用することができる利点がある。
因みに、収納袋の拡開手段が、１つの負圧形成部に対して負圧供給管及び袋拡開用負圧供給管のいずれか一方を選択的に連通させる方向切換え弁を介して接続したものでは操作の至便性を更に高めることができる利点もある。
【発明を実施するための最良の形態】
【００１２】
以下、本発明にかかるリザーブタンク３に装着された収納袋への汚物吸引装置の最も好ましい実施の形態を図面に基づいて説明する。
図１（ａ）は、本発明にかかるリザーブタンク３に装着された収納袋への汚物吸引装置の例として、例えば尿等の水分を含む液体を吸引するための尿吸引装置１の概略構成図であって、図中符号１は尿吸引装置１を全体的に示す。
この尿吸引装置１は、負圧形成部２で発生させた負圧が供給される密閉可能なリザーブタンク３とを備えてなる。
【００１３】
リザーブタンク３は、図２及び図３に示すように、容器状の本体部分４と、本体部分４の開口部分４ａを収納袋５の開口部５ａを挟んだ状態で締め付け金具６により気密状に閉塞する蓋部分７とからなる。
リザーブタンク３の本体部分４は、ペット（ポリエチレンテレフタレート）樹脂をブロー成形したもので、上端の開口部分４ａには水平に広がった鍔部８が形成され、側面部分４ｂの底部１０の近傍には、袋拡開用負圧供給口９が形成されている。
また、底部１０の本体部分４の内方上面には、後述する収納５が袋拡開用負圧供給口９に張り付くのを防止するための複数のリブ１１が形成されている（図３及び図４参照）。
【００１４】
容器状の本体部分４の開口部分４ａに収納袋５の開口部５ａを挟んだ状態で蓋部分７を気密状に固定する締め付け金具６は、収納袋５の開口部５ａを挟んだ蓋部分７の周縁部７ａと本体部分４の鍔部８の周縁部分とに嵌合するような断面コの字形の部材を環状に曲成し、その周縁部同士間に渡って嵌着される縮径用金具（通称エビ金具）１２を設けて構成されている。
なお、締め付け金具６は、上記の構成に限られず、例えばクランプ形式や嵌着する形式にすることも可能である。
【００１５】
上記収納袋５は、柔軟性を有するポリエチレン樹脂シートで上端が開口する袋状に形成され、上端の開口部５ａが外側に折り返されなるパイピング１３が形成されており、このパイピング１３には２本の封止用の紐１４が挿通されている。
また、当該収納袋５には適量の顆粒状のゲル化剤乃至増粘剤あるいは吸水樹脂等の薬剤１５が封入されている（図３参照）。
上記蓋部分７は、本体部分４の鍔部８の外径と略同径の円板状に形成されており、この蓋部分７には負圧供給口６と吸引物（図示せず）を収納袋５内に吸引する吸引口１７とが形成され、吸引口１７の下端部は収納袋５の内方に突出させてある（図３参照）。
【００１６】
上記吸引口１７は吸引管２０を介して汚物の受け具１８に接続され、負圧供給口１６は負圧供給管１９を介して負圧形成部２に接続されている。
また、負圧供給口１６と負圧形成部２とを連通する負圧供給管１９には吸引を開始するための開閉弁２１が設けられ、本体部分４の上記袋拡開用負圧供給口９と負圧形成部２とを接続する袋拡開用負圧供給管２２にはリザーブタンク３に装着された収納袋５を拡開するための拡開手段２３を形成する開閉弁２４が設けられている（図１（ａ）参照）。
負圧形成部２は、その詳細の図示は省略したが、本発明者が先に提案した特願２００６−８５２９０号と同様に、ケーシングの中に、電動モータを駆動する電源と、電動モータで駆動されるダイヤフラム式の吸引ポンプを収納して構成してある。
【００１７】
上記のように形成されたリザーブタンク３に装着された収納袋５への汚物である尿の吸引装置１を使用する手順を次に説明する。
図５は、本発明にかかる汚物吸引装置１を介護用品である車椅子２５に取り付けて使用する例である。
先ず、空の状態のリザーブタンク３の本体部分４の開口部分４ａに収納袋５の上端部分を外嵌させ、袋本体部分５ａをリザーブタンク３の本体部分４の内方に適当に挿入した後、蓋部分７を収納袋５の開口部５ａを挟んだ状態で蓋部分７を本体部分４の鍔部８に載せ、これを締め付け金具６で固定してリザーブタンク３を気密状に閉塞する
【００１８】
次に、リザーブタンク３を、手押しハンドル２６の下方のフレーム部分２７に取り付け、負圧形成部２は座部２８と手押しハンドル２６の支柱２６ａとが交差する部分に設置し、汚物（尿）の受け具１８をこの車椅子２５を使用する者２９の尿放出口部分に装着する。
このとき、図示は省略したが、汚物の受け具１８の上端部に紐やゴム等の装着具を設け、この装着具で汚物の受け具１８をこの車椅子１５を使用する者２９に固定しておけば、身体が動いたときでも外れるのを防止することができる。
【００１９】
そして、汚物吸引装置１の負圧形成部２の電動モータを起動するスイッチ（図示せず）や拡開手段２３を形成する開閉弁２４および収納袋５へ吸引を開始するための開閉弁２１等は操作しやすいアームレスト部分３０に取り付けて準備が完了する。
【００２０】
汚物の受け具１８を装着した者が尿意を催した場合、負圧供給口１６と負圧形成部２とを連通する負圧供給管１９に設けられた開閉弁２１を閉じ、収納袋５を拡開するための拡開手段２３を形成する袋拡開用負圧供給管２２に設けられた開閉弁２４を開く。
すると、負圧形成部２で発生した負圧は、袋拡開用負圧供給管２２を通じて袋拡開用負圧供給口９から収納袋５の外周で、リザーブタンク３の本体部分４との間の空間部分に作用し、汚物の受け具１８側が大気に開放されていることから、収納袋５は図２に示すようにリザーブタンク３の本体部分４の内面に沿う状態に即座に広がる。
【００２１】
然る後、収納袋５を拡開するために開かれていた袋拡開用負圧供給管２２の開閉弁２４を閉じ、負圧供給口１６と負圧形成部２とを連通する負圧供給管１９に設けられた開閉弁２１を開く。
この吸引を開始する負圧供給管１９の開閉弁２１が開かれると、負圧形成部２で発生した負圧は負圧供給管１９を介して、リザーブタンク３の本体部分４内に広がった収納袋５の内方に作用するので、この負圧により汚物の受け具１８に放出された尿は多量の空気とともに収納袋５内に吸引され、収納袋５に多量の空気とともに吸引された尿は収納袋５内のゲル化剤乃至粘剤等の薬剤１５でゲル化され、空気のみが負圧供給管３を介して負圧形成部２に吸い込まれて排出される。
因みに、収納袋５内への尿等の吸引時には、収納袋５の外周の空間は袋拡開用負圧供給管２２の開閉弁２４が閉止されブロックされていることから、収納袋５は開いた状態に保持される。
【００２２】
斯くして収納袋５内で所定回数固結若しくはゲル化処理されると、負圧形成部２の駆動を停止した後、袋拡開用負圧供給管２２に設けられた開閉弁２４を開く。
すると、袋拡開用負圧供給口９から収納袋５の外周の空間部分に待機が流入するので、リザーブタンク３の蓋体７を外して、尿を貯留した収納袋５をリザーブタンク３の本体部分４から簡単に取り出すことができる。
リザーブタンク３の本体部分４から取り出された収納袋５は、パイピング１３部分に挿入されている２本の封止用の紐１４・１４を左右に引っ張って収納袋５の開口部を封止してから廃棄処理する。
【００２３】
尚、上記実施の形態では、リザーブタンク３の本体部分４の底部１０に、収納袋５が袋拡開用負圧供給口９に張り付くのを防止するための複数のリブ１１を形成するようにしてあるが、こうした構造に代えて、例えば図６に示すように袋拡開用負圧供給口９の本体部分４の内方に連続発泡からなるフィルタ兼用のスポンジ３１を設け、このフィルタ兼用のスポンジ３１により広げられる収納袋５が袋拡開用負圧供給口９に張り付くのを防止することもできる。
【００２４】
また、上記実施の形態では、図１（ａ）に示したように、収納袋５の拡開手段２３として開閉弁２４を負圧供給管１９の開閉弁２１とは個別に設けるようにしてあるが、この開閉弁２４を図１（ｂ）に示すように方向切り換え弁３２にすることにより一つにすることができる。
この方向切り換え弁３２は図７に示すように、回動可能な弁体３３を収納したケーシング３４に、負圧形成部２に接続される共通ポート３４と、袋拡開用負圧供給口９に接続される第１ポート３５と、負圧供給口１６に接続される第２ポート３６を形成し、弁体３３には上記共通ポート３４を第１ポート３５及び第２ポート３６に択一的に連通させるための通路３７を形成したものである。
【００２５】
こうした方向切り換え弁３２では、先ず、収納袋５を広げる場合、図１（ｂ）に示すように操作つまみ３８を時計回り方向に回動させて弁体３３を図７の二点鎖線図の状態にし、共通ポート３４と第１ポート３５とを連通させ、負圧形成部２で発生した負圧を、袋拡開用負圧供給管２２を通じて袋拡開用負圧供給口９から収納袋５の外周の空間部分に作用させてリザーブタンク３に装着された収納袋５を広げる。
収納袋５が広がった後は、操作つまみ３８を反時計回り方向に回動させて弁体３３を実線図の状態にして共通ポート３４と第２ポート３６とを連通し、負圧形成部２で発生した負圧で汚物を収納袋５内に吸引する。
したがって、斯かる方向切り換え弁３２では一つの切り替え操作で行なうことができるので、誤操作を防止する上で利点がある。
【００２６】
更に、図８に示すものは、収納袋５の拡開手段２３として方向切り換え弁３９を自動化したものである。
この方向切り換え弁３９は、図８（ａ）に示すように、スプール（弁体）４０を摺動可能に収納したケーシング４１に、負圧形成部２に接続される共通ポート３４と、袋拡開用負圧供給口９に接続される第１ポート３５と、負圧供給口１６に接続される第２ポート３６を形成し、スプール４０をコイルスプリング４２で共通ポート３４と第１ポート３５とが連通する方向（図上左側方向）に押圧するとともに、袋拡開用負圧供給口９に接続される第１ポート３５の圧力を、パイロット圧通路４４を介してコイルスプリング４２が収納された空間部分４３に作用させるように構成したものである。
【００２７】
こうした方向切り換え弁３９では、負圧形成部２の電動モータを起動するスイッチをオンにして負圧形成部２で負圧を形成させると、方向切り換え弁３９のスプール４０がコイルスプリング４２により共通ポート３４と第１ポート３５とが連通する方向に押圧されているので、負圧形成部２で形成された負圧は、第１ポート３５から袋拡開用負圧供給口９を介して収納袋５の外周の空間部分に作用し、リザーブタンク３に装着された収納袋５を広げる。
収納袋５が十分に広がって収納袋５の外周の空間部分がなくなり、袋拡開用負圧供給口９乃至第１ポート３５の負圧が高くなると、これがパイロット圧通路４４を介してコイルスプリング４２が収納された空間部分４３に作用し、コイルスプリング４２の押圧力に抗してスプール４０を図上右側方向に摺動させる（図８（ｂ）参照）。
このスプール４０の摺動により、共通ポート３４と第１ポート３５との連通が遮断されるとともに共通ポート３４と第２ポート３６とが連通し、負圧形成部２で発生した負圧で汚物を収納袋５内に吸引する。
【００２８】
したがって、この方向切り換え弁３９ではリザーブタンク３内に収納袋５を装着し、負圧形成部２の電動モータを起動するスイッチをオンにするだけで、自動的に汚物の吸引を開始することができる。
また、こうした方向切り換え弁３９では、汚物を収納袋５内に吸引中に何らかの原因、例えば接続部分の隙間やクラックの発生等で収納袋５の外周の空間部分に空気が入ってくるような場合が生じたとき、第１ポート３５の負圧が低下するので、これがパイロット圧通路４４を介してコイルスプリング４２が収納された空間部分４３に作用し、コイルスプリング４２の押圧力でスプール４０を図上左側方向に押圧してリザーブタンク３に装着された収納袋５の収縮を自動的に防止するので至便性が極めてよいものにすることができる。
【００２９】
更に、上記実施の形態における吸引ポンプの形式はダイヤフラム式に限られず、ベーン式ポンプやプランジャ式ポンプその他のポンプが使用できるのは勿論のこと、エジェクターやジェットポンプで負圧形成部２２を構成することもできる。
加えて、本発明の汚物吸引装置１は吸引力を高いものにすることにより、ゲル状の汚泥や、糞尿も吸引することができるので、図５に例示したような介護用に限られず、長距離のドライブやゴルフ等のスポーツ時等の屎尿処理にも使用することができるのは勿論のことである。
【００３０】
また、本発明においては、収納袋５を広げた後、袋拡開用負圧供給管２２をブロックし、負圧供給管１９から収納袋５内に負圧を供給して汚物を吸引するようにしてあるが、汚物が固形物や粘性が高く、収納袋５内の負圧がブロックされた袋拡開用負圧供給管２２の負圧よりも高くなる場合、この袋拡開用負圧供給管２２の負圧が引き戻されて収納袋５が縮む可能性がある。
このような場合には、収納袋５内の負圧の一部をブロックされた袋拡開用負圧供給管２２に供給してバランスを保ったり、負圧収納袋５内の負圧とブロックされた袋拡開用負圧供給管２２の負圧とのバランスを保つバランス弁等のコンペンセータ（補正手段）を設けたりすることが望ましい。
【産業上の利用可能性】
【００３１】
本発明に斯かるリザーブタンク３に装着された収納袋５への汚物吸引装置１は軟便の吸引や犬の散歩時の糞尿の吸引はもとより、家庭の雑廃の吸引、粉体や液体、薬品の袋への吸引や充填にも使用することができる。
【図面の簡単な説明】
【００３２】
【図１】は本発明にかかるリザーブタンク３に装着された収納袋への汚物吸引装置の概略構成図である。
【図２】は本発明にかかるリザーブタンク３に装着された収納袋への汚物吸引装置におけるリザーブタンク３部分の分解斜視図である。
【図３】は本発明にかかるリザーブタンク３に装着された収納袋への汚物吸引装置におけるリザーブタンク３部分の縦断正面図である。
【図４】は本発明にかかるリザーブタンク３に装着された収納袋への汚物吸引装置におけるリザーブタンク３の底部近傍の横断平面図分解斜視図である。
【図５】は本発明にかかるリザーブタンク３に装着された収納袋への汚物吸引装置の使用状態を示す側面図である。
【図６】は本発明にかかるリザーブタンク３に装着された収納袋への汚物吸引装置におけるリザーブタンク３部分の変形例を示す縦断正面図である。
【図７】は本発明にかかるリザーブタンク３に装着された収納袋への汚物吸引装置における収納袋の拡開手段の変形例を示す方向切り換え弁の縦断正面図である。
【図８】は本発明にかかるリザーブタンク３に装着された収納袋への汚物吸引装置における収納袋の拡開手段の別の変形例を示す方向切り換え弁の縦断正面図である。
【符号の説明】
【００３３】
１・・・汚物（尿）吸引装置
２・・・負圧形成部
３・・・リザーブタンク
４・・・本体部分
５・・・収納袋
５ａ・・・５の開口部
７・・・蓋部分
９・・・袋拡開用負圧供給口
１６・・・負圧供給口
１７・・・吸引口
１８・・・受け具
１９・・・負圧供給管
２０・・・吸引管
２１・２４・・・開閉弁
２２・・・袋拡開用負圧供給管
２３・・・拡開手段
３２・３９・・・方向切り換え弁
【図１】
2008278928.tif 000003
【図２】
2008278928.tif 000004
【図３】
2008278928.tif 000005
【図４】
2008278928.tif 000006
【図５】
2008278928.tif 000007
【図６】
2008278928.tif 000008
【図７】
2008278928.tif 000009
【図８】
2008278928.tif 000010